(57)【特許請求の範囲】
【請求項１】
周方向（８）にハウジング内部空間（７）を囲むジャケット（２）と、
上記ハウジング内部空間（７）内に配置され、外方向に向かう第一の付勢力（１６）によって、上記ジャケット（２）の第一の支持領域（１５）上に支持されるとともに、外方向に向かう第二の付勢力（１８）によって、上記第一の支持領域（１５）から離間した、上記ジャケット（２）の第二の支持領域（１７）上に支持される、少なくとも一つの付勢装置（１４）と、
を備え、
上記各付勢装置（１４）は、回転軸（２７）が配置されるレバー（２４）を少なくとも一つ有し、上記レバーは、二つの、互いに離間した支持構造（２５、２６）を有し、上記ジャケット（２）内において、上記二つの支持構造のそれぞれは、上記支持領域（１５、１７）の一つに支持されていることを特徴とするハウジング。
【請求項２】
上記ハウジング（１）は円筒状に形成されるとともに、二つの端底部（３、４）を備え、上記二つの端底部は、上記ハウジング内部空間（７）を軸方向で閉じ、かつ、上記ジャケット（２）に固定状態で接続され、上記付勢装置（１４）は、上記端底部（３、４）の間に配置されるか、または、
上記ハウジング（１）は二つの半殻（１０，１１）を備え、上記半殻は、周方向、および、軸方向において、上記ハウジング内部空間（７）を限定することを特徴とする請求項１に記載のハウジング。
【請求項３】
上記二つの支持領域（１５、１７）は、周方向（８）において、互いに離間していることを特徴とする請求項１または２に記載のハウジング。
【請求項４】
上記二つの支持領域（１５、１７）は、上記ジャケット（２）の軸方向（９）を横切る同じ横断面に存在することを特徴とする請求項３に記載のハウジング。
【請求項５】
上記二つの支持領域（１５、１７）は、軸方向（９）において、互いに離間していることを特徴とする請求項１から３のいずれか１項に記載のハウジング。  
【請求項６】
上記ハウジング内部空間（７）は、上記ジャケット（２）の曲率半径（１９）が周方向（８）において変化するように、軸方向（９）を横切る、丸みを帯びた平坦な横断面を有し、
上記二つの支持領域（１５、１７）は、異なる曲率半径（１９）を有する周領域（２０，２１）に配置されていることを特徴とする請求項１から５のいずれか１項に記載のハウジング。
【請求項７】
上記第二の支持領域（１７）は、第二の周領域（２１）に配置され、上記第二の周領域は、上記第一の支持領域（１５）が配置される第一の周領域（２０）よりも、小さな曲率半径（１９）を有することを特徴とする請求項６に記載のハウジング。
【請求項８】
上記二つの支持領域（１５、１７）は、周方向（８）において、少なくとも３０°、最大９０°、互いに離間していることを特徴とする請求項６または７に記載のハウジング。
【請求項９】
上記各付勢装置（１４）は、上記ハウジング内部空間（７）を軸方向において限定する、上記ハウジング（１）の端底部（３、４）の一つに配置されるか、または、上記ハウジング内部空間（７）内に配置されることを特徴とする請求項１から８のいずれか１項に記載のハウジング。
【請求項１０】
上記支持構造（２５、２６）に対して、異なる大きさのレバーアーム（２８、２９）が得られるように、上記レバー（２４）の回転軸（２７）は、上記支持構造（２５、２６）間において位置決めされていることを特徴とする請求項１から９のいずれか１項に記載のハウジング。
【請求項１１】
上記各レバー（２４）は、上記ハウジング内部空間（７）を、軸方向において限定する端底部（３、４）の一つに、上記回転軸（２７）の周りに変位可能に配置されるか、または、上記ハウジング内部空間（７）内に設けられた中間底部（２２）に、上記回転軸（２７）の周りに変位可能に配置されることを特徴とする請求項１０に記載のハウジング。
【請求項１２】
上記各付勢装置（１４）は、上記ハウジング内部空間（７）内に配置された付勢構造（２３）を有し、上記付勢構造は、周方向（８）に分散して配置された、複数のレバー（２４）を有していることを特徴とする請求項１０に記載のハウジング。
【請求項１３】
上記各レバー（２４）の支持構造（２５、２６）の少なくとも一つは、支持体（３３）に形成され、上記支持体は、上記各レバー（２４）に移動可能に配置されていることを特徴とする請求項１０から１２のいずれか１項に記載のハウジング。
【請求項１４】
同一の上記支持体（３３）が、複数のレバー（２４）を介して、上記ジャケット（２）に対して付勢され、かつ／または、
上記支持体（３３）は、上記ジャケット（２）に面する外方突出部を有し、上記外方突出部は、上記ジャケット（２）の上記各支持領域（１５、１７）の内方凹部に対して、相補的に形成されていることを特徴とする請求項１３に記載のハウジング。
【請求項１５】
上記ジャケット（２）は、包装構造、または、チューブ構造、または、半殻構造に設計されていることを特徴とする請求項１から１４のいずれか１項に記載のハウジング。
【発明の詳細な説明】
【技術分野】
【０００１】
本発明は、ハウジングに関し、例えば、燃焼機関、特に、自動車の、排ガスシステムの部品に使用可能なハウジングに関する。例えば、本発明は、サイレンサのハウジングとして用いることが可能である。
【背景技術】
【０００２】
このようなハウジングは、円筒状に形成することが可能で、通常、ハウジウング内部空間を、周方向に囲むジャケットを備えている。基本的に、二つの端底部を形成することが可能で、これらの端底部は、ハウジング内部空間を軸方向に閉じるとともに、ジャケットに固定状態で接続される。その上、ハウジングは、包装構造に形成することが可能で、この場合、一続きのジャケットが周方向に巻かれ、その接合端は互いに固定される。代わりに、ハウジングは、半殻（ハーフシェル）構造に製作することが可能で、この場合、二つの半殻（ハーフシェル）が、二つの端底部と、ハウジング内部空間とを、周方向に、それぞれ、約１８０°囲み、分割面の端部領域で、互いに固定される。また、半殻が、ハウジング内部空間を、軸方向において限定することにより、端底部が存在しない半殻構造も考えられる。同様に、チューブ構造も可能で、この場合、チューブ体がジャケットとして使用される。
【発明の概要】
【発明が解決しようとする課題】
【０００３】
特に、車両に適用する場合、ハウジングは、振動（バイブレーションやオシレーション）を起こすことがあり、例えば、道路、または、エンジン、または、排ガスシステム内のガス振動によって、振動が発生する可能性がある。特に、ジャケット領域内で、自己振動が引き起こされることがあり、これが、望ましくないノイズの発生に至ることが分かっている。これに加えて、特に、車両については、重量を減らし、車両のエネルギー消費を軽減する試みがなされている。特に、排ガスシステムの部品として使用されるハウジングの場合、これは薄板が使用されるが、壁の厚さを薄くすることが選択されることになる。ここで、特に、ジャケット領域において壁の厚さが薄くされると、ジャケットが自己振動に至る傾向が大きくなることが分かっている。
【０００４】
本発明は、上記の問題を解決するものであり、先に述べたタイプのハウジング、特に、サイレンサ用ハウジングに対して、壁の厚さが薄くされた場合でも、ジャケット領域において自己振動に至る傾向が軽減されることを特徴とする、改善された実施形態を提供する。
【課題を解決するための手段】
【０００５】
本発明によると、上記の問題は独立請求項の主題によって解決される。好適な実施形態は従属請求項の主題である。
【０００６】
本発明は、ハウジングに、少なくとも一つの付勢装置を形成するという基本的な考えに基づいており、上記付勢装置は、ハウジング内部空間、つまり、ジャケット内部に存在し、かつ、外方向に向かう付勢力、または、支持力を、少なくとも一つある、ジャケットの支持領域において、ジャケットに伝える。ジャケットのこの付勢による支持によって、その自己振動特性は大幅に変化し、好ましくない自己振動に至る傾向が、著しく、軽減され得る。これによって、ジャケットの製造に使用される薄板の壁厚を減らしても、好ましくない大きなノイズが発生しないようにできる。
【０００７】
実用的には、各付勢装置は、この場合、ジャケット内において、上記ジャケットの第一の支持領域に支持され、内方向に向かう第一の支持力をサポートし、かつ、上記ジャケット内において、上記第一の支持領域から離間した、上記ジャケットの第二の支持領域で、自身を支持するとともに、外方向に向かう第二の支持力を、上記ジャケットに伝える。この第二の支持力は、この場合、上記第一の支持力よりも大きくすることが可能である。また、原理的には、上記付勢力を等しくする設計も考えられる。すなわち、上記各付勢装置は、二つの、互いに離間した支持領域において、第一の付勢力と、第二の付勢力とで、上記ジャケットに自身を支持するのである。これらの付勢力は、異ならせることが可能で、この場合、好ましくは、上記第一の付勢力は、上記第二の付勢力よりも小さい。この付勢装置は、上記第一の支持領域において、第一の力、つまり、付勢力を吸収し、これを、第二の力、つまり、付勢力の形で、上記第二の支持領域に伝達する。
【０００８】
ハウジングの断面が、円形状の横断面からずれた、例えば、卵形、あるいは、楕円形の、丸みを帯びた横断面を有している限り、ハウジング内部空間に配置された中間底部を有するハウジングの場合、上記ジャケットは、周方向において、不均一な支持力を受けるという知見に、本発明は基づいている。目的に応じて、振動の危険にさらされるジャケットの領域が支持されるように、付勢力、特に、異なる大きさの付勢力を、ジャケットの補強のために選択し、かつ、位置決めすることが可能である。
【０００９】
好適な実施形態では、上記ハウジングは円筒状に形成されるとともに、二つの端底部を備えるように構成することが可能であり、上記二つの端底部は、上記ハウジング内部空間を、軸方向において閉じて、かつ、上記ジャケットに固定状態で接続される。また、上記付勢装置は、実用的には、上記端底部の間に配置される。代わりに、上記ハウジングは二つの半殻（ハーフシェル）を備え、上記半殻は、周方向、かつ、軸方向において、上記ハウジング内部空間を限定するように構成することが可能である。
【００１０】
他の好適な実施形態では、上記二つの支持領域は、周方向において、互いに離間していることが可能である。この場合、上記二つの支持領域は、より好ましくは、上記ジャケットの同じ軸平面に存在する。代わりに、上記二つの支持領域は、軸方向において、互いに離間していることが可能である。これによって、特に、上記ジャケットの、振動の危険にさらされる領域を支持することが可能である。
【００１１】
好適な実施形態では、上記ハウジング内部空間は、上記ジャケットの曲率半径が周方向に変化するように、上記軸方向を横切る、丸みを帯びた平坦な横断面を有することが可能である。例えば、上記横断面は、楕円形か、または、卵形である。実用的には、今の場合、上記二つの支持領域を、異なる曲率半径を持った周領域に配置することが可能である。上記曲率半径は、上記各ジャケット領域の剛性に対して影響を与え、したがって、上記各ジャケット領域の振動傾向に影響を与えるという知見に、この実施形態は基づいている。特に、小さな曲率半径を有する領域は、大きな曲率半径を有する領域よりも、振動にさらされる危険性が少ない。
【００１２】
実用的には、今の場合、特に、上記大きい方の第二の付勢力を生成する、上記第二の支持領域は、周領域に配置され、上記周領域は、上記小さい方の第一の付勢力を生成する、上記第一の支持領域が配置された周領域よりも小さな曲率半径を有することが可能である。特に、上記二つの支持領域は、上記周方向において、少なくとも３０°、最大９０°、好ましくは、約４５°、互いに離間することが可能である。
【００１３】
他の実施形態では、上記付勢装置は、端底部か、または、中間底部に配置することが可能である。同様に、上記ハウジング内部空間に、上記各付勢装置を有する付勢構造を配置することが可能である。そのような端底部は、上記ハウジング内部空間の、軸方向の限界を構成している。これに対して、そのような中間底部は、上記ハウジング内部空間内、特に、上記ハウジングが二つの端底部を有している場合、上記二つの端底部の軸方向の間に配置される。
【００１４】
特に好適には、上記各付勢装置が少なくとも一つのレバーを有し、このレバーは、二つの、互いに離間した支持構造を有し、これらの支持構造は、それぞれ、上記支持領域の一つにおいて、上記ジャケットの内部で自身を支持している。さらに、上記各レバーは、空間的に固定された回転軸を有して変位可能に配置され、上記回転軸は、特に、上記レバーの、上記二つの支持構造の間に位置決めすることが可能で、これにより、上記二つの支持構造に対して異なる大きさのレバーアームが得られる。上記レバーにかかる回転トルクは相殺されなければならないので、上記異なる大きさのレバーアームは、上記二つの支持構造において、所望の異なる大きさの付勢力を生成する。
【００１５】
このように、上述のレバーは、上記第一の支持構造、したがって、上記第一の支持領域に割り当てられる第一のレバーアームと、上記第二の支持構造、したがって、上記第二の支持領域に割り当てられる第二のレバーアームとを有し、特に、上記第一のレバーアームは、上記第二のレバーアームよりも大きくすることが可能で、上記レバーが組み立てた状態で動かず、トルクが釣り合っている場合は、上記第一の付勢力は、上記第二の付勢力よりも小さくなっている。
【００１６】
実用的には、上記各レバーは、一つの端底部に、または、一つの中間底部に、または、上記ハウジング内部空間に配置された付勢構造に、上記回転軸の周りに変位可能に配置することが可能である。この場合、上記各レバーは、上記回転軸の周りに回転調整可能に取り付けるか、または、上記回転軸の周りに転動可能に配置することが可能である。
【００１７】
他の好適な実施形態では、上記各レバーの支持構造の少なくとも一つは、支持体に形成され、上記支持体は、上記各レバーに配置されている。そのような支持体を使用することによって、改善された支持効果が実現される。特に、上記ジャケットは、より大きな面で支持されて安定化されるので、これにより、上記支持領域における、上記ジャケットの振動の大きさが小さくなる。
【００１８】
好ましくは、同じ支持体を、複数のレバーを介して、上記ジャケットに対して付勢することが可能で、これにより、より大きな支持力を実現することが可能である。特に、上記支持体は、上記ジャケットに面する外方突出部を有することが可能で、上記外方突出部は、上記ジャケットの各支持領域の内方凹部に対して、相補的に形成されている。これにより、支持体とジャケット間の支持が確実に達成され、特に、支持体とジャケット間の相対移動が防止される。
【００１９】
上記ジャケットは、包装構造、または、チューブ構造、または、半殻（ハーフシェル）構造に設計することが可能である。半殻構造の場合、上記第二の支持領域は、上記二つの半殻が互いに固定された分割面の近くに配置することが可能で、上記第一の支持領域は、上記分割面から遠くに配置される。この設計は、上記ジャケットの半殻が、上記分割面の領域において、上記分割面の領域から離間した領域よりも、より大きな剛性を有し、これにより、上記剛性は、上記分割面の端部において効果的に作用するという考えに基づいている。
【００２０】
既に、先述したように、ハウジングとして、サイレンサ用ハウジング、つまり、燃焼機関、特に、自動車の排ガスシステムのサイレンサ用ハウジングが好ましい。
【００２１】
本発明の他の重要な特徴ならびに効果は、従属請求項、図面、および関連する図面に基づく説明より明らかになる。
【００２２】
上述した特徴、および以下に述べる特徴は、本発明の範囲を逸脱することなく、記載している各組み合わせにおいてだけでなく、他の組み合わせ、あるいは、単独で利用できることは明白である。
【図面の簡単な説明】
【００２３】
【図１】は、ハウジングの非常に簡略化された長手方向断面図である。
【図２】は、第１実施形態におけるハウジングの横断面図である。
【図３】は、第２実施形態におけるハウジングの横断面図である。
【図４】は、第３実施形態におけるハウジングの横断面図である。
【図５】は、第４実施形態におけるハウジングの横断面図である。
【図６】は、第５実施形態におけるハウジングの横断面図である。
【図７】は、第６実施形態におけるハウジングの横断面図である。
【図８】は、異なる組み立て状態ａ、ｂにおける、ハウジングの横断面図である。
【発明を実施するための形態】
【００２４】
本発明の好適な実施例は図示されるとともに、以下に、詳細に説明されるが、同一か、類似しているか、または、機能的に同一の構成要素は同一の参照符号で示す。
【００２５】
以下の図面は、それぞれ、概略を示している。
図１はハウジングの非常に簡略化された長手方向断面図である。
図２から図７は、それぞれ、異なる実施形態におけるハウジングの横断面図である。
図８は、異なる組み立て状態ａ、ｂにおける、ハウジングの横断面図である。
【００２６】
図１から８では、円筒状のハウジング１は、ジャケット２と、二つの端底部３、４を備えている。ハウジング１は、好ましくは、サイレンサ５の領域のみが示される排ガスシステム６のサイレンサ５のハウジング１であって、排ガスシステムは、燃焼機関、特に、自動車において、排ガスの排出用に使用することができる。
【００２７】
ジャケット２は、二方向矢印で示す周方向８において、ハウジング内部空間７を囲んでいる。端底部３、４は、図１に二方向矢印で示す軸方向９において、ハウジング内部空間７を閉じている。この場合、端底部３、４は、軸方向端面、つまり、ハウジング１の端部を構成している。端底部３、４は、ジャケット２に、しっかりと固定されている。他の実施形態では、ジャケット２は、端底部３、４の機能、つまり、ハウジング内部空間７の軸方向を限定する機能を備えるように形成することも可能である。
【００２８】
ここで示す実施形態では、ジャケット２は二つの半殻（ハーフシェル）１０、１１を有するように、半殻（ハーフシェル）構造で実現され、二つの半殻は、分割面１２で、互いを支持し合うか、または、互いに固定されている。特に、二つの半殻１０、１１は長手方向９を横切って伸びるフランジ１３を有し、このフランジを介して、半殻１０、１１は、分割面１２で、互いを支持し合うか、または、フランジを介して、互いに固定されている。図１に示すハウジング１の長手方向断面図では、分割面１２を介して、半殻１０、１１の一方のみが見える。上に述べた他の実施形態では、半殻１０、１１は、二つの端底部３、４を一体的に含むように形成することが可能で、これにより、分離した端底部は省略することが可能である。
【００２９】
半殻構造に設計する代わりに、ジャケット２は、包装構造、または、チューブ構造に設計することも可能である。以下の説明は、上記の半殻構造だけではなく、同様に、チューブ構造、または、包装構造、または、ハウジング１、または、ジャケット２の他の任意の適切な設計に対しても当てはまる。
【００３０】
ハウジング１は、さらに、少なくとも一つの付勢装置１４を備え、この付勢装置は、ハウジング内部空間７において、端底部３、４の軸方向の間に配置されている。図１の例では、二つのこのような付勢装置１４が示されている。これに対して、図２から８では、ただ一つの付勢装置１４が示されている。
【００３１】
各付勢装置１４は、矢印で示された、外方向に向かう第一の付勢力１６を受けて、ジャケット２内で、ジャケット２の第一の支持領域１５上に自身を支持している。さらに、付勢装置１４は、同様に、矢印で示された、外方向に向かう第二の付勢力１８を受けて、ジャケット２内で、ジャケット２の第二の支持領域１７上に自身を支持している。この場合、好ましくは、第二の付勢力１８は、第一の付勢力１６よりも大きい。二つの支持領域１５、１７は、互いに離間して、ジャケット２に位置決めされている。実用的には、二つの支持領域１５、１７は、周方向８において、互いに離間している。この場合、二つの支持領域は、基本的に、ジャケット２の同じ軸平面上に存在することが可能である。
【００３２】
他の代わりの実施形態では、二つの支持領域１５、１７は、軸方向９において、互いに離間して配置することが可能である。この場合、二つの支持領域は、同じ周方向断面、つまり、軸方向に、互いに一列に並んで存在することが可能である。しかし、基本的には、二つの支持領域は、周方向８において、互いに離間している。
【００３３】
ここで示す好適な実施形態では、ハウジング２、または、そのハウジング内部空間７は、軸方向９を横切る、丸みを帯びてはいるが、円形ではなく、平らになった断面を有し、この断面は、特に、卵形か、または、楕円形に形成することが可能である。特に、この場合、ジャケット２の曲率半径１９は、周方向８において変化する。これら二つの支持領域１５、１７は、実用的には、異なった曲率半径１９を有する周領域２０、２１に存在する。特に、この場合、第一の支持領域１５は、第二の周領域２１よりも大きな曲率半径１９を有する第一の周領域２０に配置され、第二の周領域には、第二の支持領域１７が配置されている。つまり、大きい方の第二の付勢力１８が加えられる第二の支持領域１７は、小さい方の曲率半径１９を有する第二の周領域２１に存在する。曲率半径１９が小さいほど、ジャケット２はしっかりし、障害を与えるほどに変形することなく、ジャケット２で、より大きな力を支持することが可能である。
【００３４】
実用的には、二つの支持領域１５、１７は、周方向８において、少なくとも３０°、最大９０°で、互いに離間している。ここで示す例では、二つの支持領域１５、１７は、周方向において、それぞれ、約４５°で、互いに離間している。
【００３５】
図２から８で分かるように、半殻構造に形成されたジャケット２では、第一の支持領域１５は、分割面１２から遠くに配置され、他方、第二の支持領域２１は、分割面１２の近くに配置されている。
【００３６】
図１では、左側に示す付勢装置１４は、端底部３、４の一つに配置されている。これに対して、図１の右側に示す付勢装置１４は、二つの端底部３、４の軸方向の間に設けられた中間底部２２に配置されている。これに対して、図３に示す実施形態では、各付勢装置１４は付勢構造２３を有し、この付勢構造には底部はなく、この付勢構造は、ハウジング内部空間７において、端底部３、４の軸方向の間に配置することが可能である。
【００３７】
図２では、上記の中間底部２２は、例えば、少なくとも一つの通過孔３５、および／または、少なくとも一つの貫通孔３６を有することができる。
【００３８】
好ましくは、各付勢装置１４は、少なくとも一つの、ここで簡略化して示すレバー２４を有し、このレバーは、二つの互いに離間した支持構造、つまり、第一の支持構造２５、および、第二の支持構造２６を有し、これらは、互いに離間して、各レバー２４に配置されている。特に、二つの支持構造２５、２６は、各レバー２４の互いに離間した端部に存在する。第一の支持構造２５は、第一の支持領域１５において、ジャケット２内側で、ジャケット２上に自身を支持している。第二の支持構造２６は、第二の支持領域１７において、ジャケット２内側で、ジャケット２上に自身を支持している。レバー２４には、回転軸２７が配置され、この回転軸の周りに、レバー２４は移動可能である。回転軸２７は、ハウジング１の内部で、十分に位置固定されるか、または、空間的に固定されている。回転軸２７は、支持構造２５、２６の間で、レバー２４に非対称に配置され、これによって、レバー２４には、二つの支持構造２５、２６に対して、二つの異なる大きさのレバーアームが形成される、つまり、回転軸２７から第一の支持構造２５に至る第一のレバーアーム２８、および、回転軸２７から第二の支持構造２６に至る第二のレバーアーム２９が形成される。第一のレバーアーム２８は、第二のレバーアーム２９よりも大きいことが分かる。レバー２７は、ハウジング２を組み立てた状態で、動かず静止しており、レバー２４に作用する回転トルクは大きさが等しいか、または、釣り合っている。その結果、短い方の、第二のレバーアーム２９を介して、第二の支持領域１７において加えられる第二の付勢力１８は、大きい方の、第一のレバーアーム２８を介して、第一の支持領域１５に加えられる第一の付勢力１６よりも大きい。
【００３９】
上記のレバーアーム２８、２９は、その効果的なレバーアーム長、つまり、その物理的、または、数学的なレバーアーム長が考慮されるべきである。
【００４０】
図１、２、および、５から８では、各レバー２４は、各底部３、４、２２に対して、回転軸２７の周りに回転調整可能に取り付けられているために、各レバー２４は、端底部３、４の一つ、または、中間底部２２に対して、回転軸２７の周りに変位可能に配置することが可能である。対応する回転軸受３０は、図では、簡略化して示されている。この実施形態では、回転軸２７の空間位置は固定されている。
【００４１】
代わりに、図４のように、各レバー２４を、回転軸２７の領域において、各底部３、４、２２に対して転動可能に配置することによって、回転軸２７周りの、レバー２４の変位可能性を実現することが可能である。図４では、これに適した転動構造３１が、簡略化して示されている。この実施形態では、回転軸２７の空間位置は、転動運動によってわずかに変化することが可能であり、この場合、回転軸２７の空間位置は、ほぼ固定された状態である。
【００４２】
図３に示す実施形態では、付勢装置１４は、既に述べたように、付勢構造２３を有し、この付勢構造は、端底部３、４の軸方向の間に存在する。図３の例では、付勢構造２３は、複数のレバー２４、つまり、単なる例として、かつ、一般性が制限されることなく、正確には四つの、そのようなレバー２４を有しており、当該レバー２４は、周方向８に、分散して配置されている。各レバー２４は、第一の支持領域１５、および、第二の支持領域１７で、内側から、ジャケット２に対して自身を支持している。したがって、ここでは、四つの第一の支持領域１５、および、四つの第二の支持領域１７が、周方向８に分散して、ジャケット２に形成されている。支持構造２３は、比較的硬い保持部３２を有することが可能で、この保持部に、個々のレバー２４が配置され、連動する回転軸２７周りの、各レバー２４の枢支性、つまり、変位可能性は、保持部３２の弾性、または、対応する軸受位置によって実現することが可能である。
【００４３】
図５、および、７の実施形態では、各付勢装置１４は支持体３３を有しており、この支持体に、支持構造１５、１７の一つ、ここでは、第一の支持構造１５が形成されている。この支持体３３は、この場合、移動可能に、少なくとも一つの、そのようなレバー２４に配置されている。図５、および、７の例では、支持体３３と、各レバー２４との間の移動可能な接続のために、それぞれ、細長い穴３４が形成されており、この穴が、支持体３３と、連動するレバー２４との間の相対移動を可能にしている。さらに、ここで示す図５、および、７の例では、同じ支持体３３が、同時に複数のレバー２４、つまり、例えば、それぞれ、二つのレバー２４を介して、ジャケット２に対して付勢されている。さらに、各支持体３３は、実用的には、ジャケット２に面する外方突出部を有しており、この外方突出部は、各支持領域１５、１７、ここでは、ジャケット２の第一の支持領域１５の内方凹部に対して、相補的に形成されている。これにより、支持体３３の、ジャケット２に対する、大きい面による安定した支持が得られる。
【００４４】
図１から５、および、８では、レバー２４は、それぞれ、各底部３、４、２２の適当な位置で、各底部３、４、２２に対して、軸方向に取り付けられている。これに対して、図６、および、７に示す実施形態では、レバー２４は、中間底部２２の縁に取り付けられており、レバー２４は、組み立てた状態で、中間底部２２と、ジャケット２との半径方向の間に存在する。
【００４５】
ハウジング２の組み立てを、図８ａ、および、８ｂに基づいて説明する。
【００４６】
先ず、ハウジング１内に配置されるすべての部品が、一方の（第二の）半殻１１に取けられ、構造に応じて、端底部３、４も取り付けられる。続いて、他方の（第一の）半殻１０が取り付けられる。他の（第一の）半殻１０を取り付けるとき、この半殻は、図８ａのように、先ず、第二の支持領域１７において、レバー２４の第二の支持構造２６に接触し、この（第一の）半殻１０は、他の（第二の）半殻１１に、さらに接近して、レバー２４に力を加える。これに遅れて、第一の支持領域１５は、レバー２４の第一の支持構造２５に接触し、こうして、その後、二つの半殻１０、１１は、さらに、互いに接近し、レバー２４に付勢力が発生する。図８ｂは、二つの半殻１０、１１が完全に接近した状態を示している。
【符号の説明】
【００４７】
１  ハウジング
２  ジャケット
３、４  端底部
５  サイレンサ
６  排ガスシステム
７  ハウジング内部空間
８  周方向
９  軸方向
１０、１１  半殻（ハーフシェル）
１２  分割面
１３  フランジ
１４  付勢装置
１５  第一の支持領域
１６  第一の付勢力
１７  第二の支持領域
１８  第二の付勢力
１９  曲率半径
２０、２１  周領域
２２  中間底部
２３  付勢構造
２４  レバー
２５  第一の支持構造
２６  第二の支持構造
２７  回転軸
２８  第一のレバーアーム
２９  第二のレバーアーム
３０  回転軸受
３１  転動構造
３２  保持部
３３  支持体
３４  細長い穴
３５  通過孔
３６  貫通孔
【図１】
0005379840.tif 000002
【図２】
0005379840.tif 000003
【図３】
0005379840.tif 000004
【図４】
0005379840.tif 000005
【図５】
0005379840.tif 000006
【図６】
0005379840.tif 000007
【図７】
0005379840.tif 000008
【図８】
0005379840.tif 000009